(57)【要約】【課題】ハンドル操作で連動回転するロータに設けられた作動部材が当接する当接部材を十分な支持強度で安定して支持した魚釣用スピニングリールを提供する。【解決手段】本発明は、ロータに対して釣糸巻き取り位置と釣糸放出位置とに反転自在に支持された支持部材を釣糸放出位置に反転したときに連動する作動部材と、支持部材が釣糸放出位置にある状態でロータを釣糸巻き取り方向に回転した際、作動部材が当接可能な当接部材とを有する。リール本体は、リールボディ２Ａと、蓋部材とを有すると共に、蓋部材をリールボディ２Ａに装着した際、当接部材５０が挟着される凹所２Ｃを有する。また、当接部材５０は、凹所２Ｃ内において、作動部材が当接する方向に対して少なくとも一部が面受けされる支持面５０ｄを有し、リール本体は、リールボディ２Ａ及び蓋部材の少なくとも一方に、凹所２Ｃ内に挟着される当接部材５０を位置決め保持するボス部６０を有する。【選択図】図５
2009100708.tif 000002
【特許請求の範囲】
【請求項１】
リール本体に設けたハンドルの回転操作で連動回転するロータと、
前記ロータに対して釣糸巻き取り位置と釣糸放出位置とに反転自在に支持され、ラインローラを有する支持部材と、
前記支持部材を釣糸放出位置に反転したときに連動する作動部材と、
前記支持部材が釣糸放出位置にある状態でロータを釣糸巻き取り方向に回転した際、前記作動部材が当接可能な当接部材と、
を有する魚釣用スピニングリールにおいて、
前記リール本体は、リールボディと、これに被せられる蓋部材とを有すると共に、蓋部材をリールボディに装着した際、前記当接部材が挟着される凹所を有しており、
前記当接部材は、前記凹所内において、前記作動部材が当接する方向に対して少なくとも一部が面受けされる支持面を有し、
前記リール本体は、前記リールボディ及び蓋部材の少なくとも一方に、前記凹所内に挟着される前記当接部材を位置決め保持する係止部を有することを特徴とする魚釣用スピニングリール。
【請求項２】
前記係止部は、前記当接部材に形成された非円形孔を嵌入させる外周非円形のボス部を有することを特徴とする請求項１に記載の魚釣用スピニングリール。
【請求項３】
前記ボス部には、前記蓋部材をリールボディに装着する際のネジ部材が螺入されることを特徴とする請求項２に記載の魚釣用スピニングリール。
【発明の詳細な説明】
【技術分野】
【０００１】
本発明は、ハンドルの回転操作で連動回転するロータのアーム部の前部にラインローラを有する支持部材を反転可能に支持した魚釣用スピニングリールに関する。
【背景技術】
【０００２】
従来、魚釣用スピニングリールは、例えば、特許文献１に開示されているように、ロータのアーム部の前部にラインローラを有する支持部材を反転可能に支持し、ハンドルの回転操作により、釣糸放出位置にある支持部材を釣糸巻き取り位置に自動復帰させる反転復帰機構を備えている。
【０００３】
この反転復帰機構は、前記支持部材を釣糸巻き取り位置から釣糸放出位置に反転させた際、作動部材（移動部材）を移動させるようにしており、ハンドルを巻き取り操作してロータを回転することで、傾斜面（カム面）を有する反転用カム部に前記作動部材を当接させる構成となっている。すなわち、作動部材は、前記支持部材を釣糸放出位置へ反転させた際、リール本体側に設置された反転用カム部の傾斜面と当接可能な位置に移動され、これによりハンドルを巻き取り操作してロータを回転することで、作動部材を反転用カム部の傾斜面に当接させ、前記支持部材を自動的に釣糸巻き取り位置に復帰させるようにしている。
【特許文献１】特開２００４−５７１４１号公報
【発明の開示】
【発明が解決しようとする課題】
【０００４】
ところで、前記特許文献１に開示されている反転復帰機構を構成する反転用カム部は、リールボディ及びそれに被せられるボディカバー前部の分割合わせ部のフランジ部に形成した切欠きに挟着される構成となっている。すなわち、前記フランジ部に形成した切欠きに、反転用カム部の括れ部を嵌め込み、ボディカバーをリールボディにビス止めすることで挟着固定する構成となっている。
【０００５】
このような構成では、簡単に反転用カム部をリール本体に装着固定できるメリットはあるものの、反転用カム部は、その括れ部で抜け止め固定されるだけであるため、強度的に十分ではなく、反転復帰時における衝撃負荷が括れ部に集中して折損する可能性がある。また、リールボディ及びボディカバーの切欠きに反転用カム部の括れ部を嵌め込んで支持する構成のため、固定支持状態が十分ではなく、反転復帰時の衝撃負荷の繰り返しで固定位置が変形、変化してしまう可能性があり、安定した反転復帰動作が得られなくなる可能性がある。
【０００６】
本発明は、上記した問題に着目してなされたものであり、ハンドル操作で連動回転するロータに設けられた作動部材が当接する当接部材（ロータに設けられた支持部材を反転させるもの、及びロータの回転を規制するものを含む）を、十分な支持強度で安定して支持した魚釣用スピニングリールを提供することを目的とする。
【課題を解決するための手段】
【０００７】
上記した目的を達成するために、本発明は、リール本体に設けたハンドルの回転操作で連動回転するロータと、前記ロータに対して釣糸巻き取り位置と釣糸放出位置とに反転自在に支持され、ラインローラを有する支持部材と、前記支持部材を釣糸放出位置に反転したときに連動する作動部材と、前記支持部材が釣糸放出位置にある状態でロータを釣糸巻き取り方向に回転した際、前記作動部材が当接可能な当接部材と、を有する魚釣用スピニングリールにおいて、前記リール本体は、リールボディと、これに被せられる蓋部材とを有すると共に、蓋部材をリールボディに装着した際、前記当接部材が挟着される凹所を有しており、前記当接部材は、前記凹所内において、前記作動部材が当接する方向に対して少なくとも一部が面受けされる支持面を有し、前記リール本体は、前記リールボディ及び蓋部材の少なくとも一方に、前記凹所内に挟着される前記当接部材を位置決め保持する係止部を有することを特徴とする。
【０００８】
上記した構成の魚釣用スピニングリールでは、ロータの支持部材を釣糸放出位置に反転したときに連動する作動部材が、ハンドルの回転操作によるロータ回転時において、リール本体側に設けられた当接部材に当接する。この場合、作動部材が当接部材に当接することで、ロータの支持部材を自動的に釣糸巻き取り位置に復帰させたり、或いは、ロータ自体の回転を規制することが可能となる。
【０００９】
前記当接部材は、リールボディと、これに被せられる蓋部材とで構成される凹所内において、前記作動部材が当接する方向に対して少なくとも一部が面受けされる支持面をもって挟着された状態にあり、しかも係止部によって位置決め保持されることから、十分な支持、固定強度が得られ、安定した支持部材の反転復帰、或いはロータの回転規制が行えるようになる。
【発明の効果】
【００１０】
本発明によれば、ハンドル操作で連動回転するロータに設けられた作動部材が当接する当接部材（ロータに設けられた支持部材を反転させるもの、及びロータの回転を規制するものを含む）を、十分な支持強度で安定して支持した魚釣用スピニングリールが得られるようになる。
【発明を実施するための最良の形態】
【００１１】
図１は、本発明に係る魚釣用スピニングリールの一実施形態を示す図であり、主要部の構成を示した部分断面図である。
【００１２】
魚釣用スピニングリール１は、釣竿に装着するための釣竿取付部２ａが形成されたリール本体２と、リール本体前方に回転可能に配されたロータ３と、ロータ３の回転運動と同期して前後動可能に配されたスプール５とを有している。
【００１３】
リール本体２内には、ハンドル軸７が回転可能に支持されており、その突出端部には、巻き取り操作されるハンドル８が取り付けられている。前記ハンドル軸７には、ロータ３を巻き取り駆動するための巻き取り駆動機構が係合しており、この巻き取り駆動機構は、ハンドル軸７に取り付けられ内歯が形成されたドライブギヤ９と、このドライブギヤ９に噛合し、ハンドル軸７と直交する方向に延出すると共に内部に軸方向に延出する空洞部が形成されたピニオンギヤ１０とを備えている。ピニオンギヤ１０は、軸受を介して回転可能に支持されており、その空洞部には、ハンドル軸７と直交する方向に延出し、先端側にスプール５を取り付けたスプール軸１１が軸方向に移動可能に挿通、支持されている。
【００１４】
また、前記ピニオンギヤ１０には、スプール軸を前後動させるオシレーティング機構が係合している。このオシレーティング機構は、スプール軸と平行に延出する螺軸１２と、この螺軸１２の外周面に形成された螺旋溝１２ａに係合すると共に、スプール軸１１の基端部にビス止めして取り付けられた摺動子１３とを有している。螺軸１２の端部には、前記ピニオンギヤ１０と噛合する連動歯車１５が取り付けられており、螺軸１２が、ピニオンギヤ１０及び連動歯車１５を介して回転駆動されることで、スプール軸１１は螺旋溝１２ａ内に案内される摺動子１３を介して前後動される。
【００１５】
前記ピニオンギヤ１０はスプール側に向けて延出しており、その先端部において、ナット１７を介して前記ロータ３が取り付けられている。また、ピニオンギヤ１０には、その中間部分に転がり式の一方向クラッチ２０が取り付けられており、リール本体２の外部に取り付けられている切換え部材２２を回動操作することで、一方向クラッチを作動状態と非作動状態に切換えるように構成されている。この場合、切換え部材２２を作動状態に切換えることで、ハンドル８（ロータ３）の逆回転が防止されるようになっている。
【００１６】
前記ロータ３は、スプール５のスカート部５ａ内に位置する筒部３ａと、一対のアーム部３ｂを具備している。各アーム部３ｂの前端部には、ベール支持部材（支持部材）３ｃが釣糸巻き取り位置と釣糸放出位置との間で反転自在に支持されており、これらベール支持部材間には、放出状態にある釣糸をピックアップするベール３ｄが配されている。この場合、ベール３ｄは、一方の基端部がベール支持部材３ｃに取り付けられており、他方の基端部がベール支持部材３ｃに一体的に設けられたラインローラ３ｅの保持部に取り付けられている。
【００１７】
なお、前記ベール３ｄについては、装着されていない構成であっても良い。すなわち、支持部材３ｃを釣糸巻き取り位置に反転させた際、釣糸を指でピックアップしてラインローラ３ｅに案内する構成であっても良い。
【００１８】
前記スプール５は、スカート部５ａと前側フランジ５ｂとの間に釣糸が巻回される巻回胴部５ｃを備えており、前記スプール軸１１に、ドラグノブ２５を介して取り付けられている。
【００１９】
上記した構成により、ハンドル８を巻き取り操作することで、ロータ３がドライブギヤ９およびピニオンギヤ１０を介して回転駆動され、かつスプール５がピニオンギヤ１０およびオシレーティング機構を介して前後動され、釣糸は、ラインローラ３ｅを介してスプール５の巻回胴部５ｃに均等に巻回される。
【００２０】
上記した構成のスピニングリールにおいて、リール本体２及びロータ３には、ベール支持部材３ｃ（ベール３ｄ）を釣糸放出位置に回動させた際に、ハンドル８の巻き取り操作で釣糸巻き取り位置に自動的に反転復帰させる反転復帰機構３０が設けられている。
【００２１】
以下、本実施の形態における反転復帰機構の構成を、図２から図６を併せて参照しながら説明する。なお、これらの図において、図２は、図１の主要部の拡大図、図３は、図２のＡ−Ａ線に沿った断面図、図４は、一方のアーム部の内部構成を示し、作動部材と当接部材の関係を示す図、図５は、当接部材の装着状態を示す斜視図、そして、図６（ａ）、（ｂ）は、他方のアーム部内に設置され、ベール支持部材を振分け保持する振分け保持機構の構成を示す図である。
【００２２】
反転復帰機構３０は、一方のアーム部３ｂ内に配設され、図４において、上下方向に移動可能な作動部材３１と、リール本体２の釣竿取付部２ａの前方側に設置され、ベール支持部材３ｃが釣糸放出位置にある状態でロータを釣糸巻き取り方向に回転した際、前記作動部材３１が当接可能な当接部材５０とを備えている。
【００２３】
前記作動部材３１は、ベール支持部材３ｃの反転動作に連動するよう構成されており、アーム部３ｂ内に延出した棒状に形成されている。そして、この作動部材３１の一端側には、外側に向けてボス３２が屈曲形成され、他端側には、アーム部３ｂからリール本体側に向けて突出可能な当付部（ボス）３３が屈曲形成されている。
【００２４】
前記アーム部３ｂに回動可能に支持されたベール支持部材３ｃには、その回動支持部分の近傍に円弧状の長孔３ｇが形成されており、この長孔内に前記作動部材３１に形成されたボス３２が配されている。また、アーム部３ｂの下端部には、長孔３ｈが形成されており、この長孔３ｈから前記作動部材３１に形成された前記当付部３３が突出可能となっている。
【００２５】
上記した構成において、ボス３２、当付部３３が形成された作動部材３１と、各長孔３ｇ，３ｈとは、以下のような位置関係、及び作動するよう構成されている。
【００２６】
図４の実線に示すように、ベール３ｄが釣糸巻き取り位置に回動された状態にあるとき、ボス３２は、長孔３ｇの下側端部３ｍと係合し、かつ当付部３３は長孔３ｈから突出していない状態にある。すなわち、作動部材３１の当付部３３は、ロータが回転してもリール本体２に設置された当接部材５０と当接しない位置となっている。
【００２７】
そして、ベール３ｄを図４の点線に示すように、釣糸放出位置に向けて回動すると、長孔３ｇの上側端部３ｎがボス３２と係合し、ボス３２を介して作動部材３１を下方に向けて押し下げ、最終的に釣糸放出位置に回動されると、下端側の当付部３３は、長孔３ｈから突出して、当接部材５０と当接可能な位置に移動される。
【００２８】
なお、上記したベール支持部材３ｃ、すなわち作動部材３１は、公知の振分け保持機構４０によって、釣糸巻き取り位置、及び釣糸放出位置に振分け保持されるようになっている。この振分け保持機構４０は、図６（ａ）、（ｂ）に示すように、他方のアーム部３ｂ内において、支軸４１ａを中心に揺動可能に軸支されたシリンダ部材４１と、ベール支持部材３ｃの回動（反転動作）に伴って一体的に回動し、前記シリンダ部材４１内に挿入される挿入部４２とを備えている。前記シリンダ部材４１と挿入部４２との間には、付勢バネ（振分けバネ）４３が設置されており、ベール支持部材３ｃを回動させた際、シリンダ部材４１を、支軸４１ａを中心に揺動させ、図６（ａ）に示す釣糸巻き取り位置と図６（ｂ）に示す釣糸放出位置との間で振分け保持するようにしている。すなわち、支軸４１ａとベール支持部材３ｃの回動軸支部４５とを結ぶラインが付勢バネのデッドポイントとなっており、挿入部４２の基部４２ａが、このライン（デッドポイント）を超えることで、ベール支持部材３ｃは、いずれかの位置に振分け保持される。
【００２９】
次に、上記したように構成される作動部材３１の当付部３３が当接する当接部材５０の構成について説明する。
【００３０】
当接部材５０は、図５に示すように、リール本体２内に設置される本体部５０ａと、ベール支持部材３ｃを釣糸放出位置で前記ロータを回転した際に、アーム部から突出する作動部材３１の当付部３３が当接する当接部５０ｂとを備えている。この場合、当接部５０ｂは、図４に示すように、ロータの回転によって当付部３３が当接した際、作動部材３１を上方側に移動させるような傾斜面５０ｃを備えている。すなわち、当付部３３が当接部５０ｂの傾斜面５０ｃに当接することで、作動部材３１は上方に移動することとなり、これに伴ってベール支持部材３ｃを回動させ、図６（ｂ）に示した挿入部４２の基部４２ａが振分け保持機構４０のデッドポイントを超えることで、ベール支持部材３ｃは、自動的に釣糸巻き取り位置に反転復帰される（図６（ａ）参照）。
【００３１】
前記リール本体２は、リールボディ２Ａと、これに被せられる蓋部材２Ｂとを有する構造となっている。蓋部材２Ｂは、ビス等の固定手段によってリールボディ２Ａに装着されるようになっており、蓋部材２Ｂをリールボディ２Ａから取り外すことで、内部に収容された各種の駆動力伝達機構が露出するようになっている。
【００３２】
前記リールボディ２Ａ及び蓋部材２Ｂは、蓋部材２Ｂをリールボディ２Ａに装着した際に、前記釣竿取付部２ａの基端部前側に、図５に示すような凹所２Ｃが形成されるように構成されている。
【００３３】
前記凹所２Ｃは、前記当接部材５０の本体部５０ａが設置される大きさに構成されており、本体部５０ａを凹所２Ｃ内に設置し、蓋部材２Ｂをリールボディ２Ａに装着することで、当接部材５０（本体部５０ａ）がリールボディ２Ａと蓋部材２Ｂによって挟着されるようになっている。
【００３４】
上記した構成において、当接部材５０は、凹所２Ｃ内において、作動部材３１の当付部３３が当接する方向（図５矢印Ｄ方向）に対して、少なくとも一部が面受けされるような支持面を有している。
【００３５】
本実施形態では、支持面は、本体部５０ａの両サイドにおいて、平行となる一対の支持面５０ｄによって構成されている。一方、前記凹所２Ｃを形成するリールボディ２Ａ、及び蓋部材２Ｂには、そこに設置される当接部材の本体部５０ａの前記支持面５０ｄが全体的に面接するように、ボディ支持面２ｄ、及び蓋支持面２ｅ（蓋部材２Ｂの内面によって形成される；図３参照）が形成されている。
【００３６】
このため、凹所２Ｃ内に当接部材５０の本体部５０ａを設置すると、本体部５０ａの両支持面５０ｄが、矢印Ｄ方向と直交する方向でボディ支持面２ｄ及び蓋支持面２ｅに面接した状態で、本体部５０ａはリールボディ２Ａ及び蓋部材２Ｂによって挟着される。
【００３７】
また、リール本体２は、リールボディ２Ａ及び蓋部材２Ｂの少なくとも一方に、凹所２Ｃ内に挟着される当接部材５０の本体部５０ａを位置決め保持する係止部を有している。本実施形態では、この係止部は、リールボディ２Ａに突出形成された外周が非円形状のボス部６０によって構成されている。このため、当接部材５０の本体部５０ａには、このボス部６０が嵌合するように、内周が非円形状の嵌合孔５０ｅが形成されている。
【００３８】
なお、ボス部６０には、蓋部材２Ｂをリールボディ２Ａに装着する際、両者の固定手段となるネジ部材６５が螺入されるように、雌ネジ部６０ａが形成されている。すなわち、蓋部材２Ｂには、ボス部６０と対応するように、螺子孔６６が形成されており、蓋部材２Ｂをリールボディ２Ａに被せるに際して、前記凹所２Ｃに当接部材５０の本体部５０ａを設置し、ネジ部材６５を、螺子孔６６を介してボス部６０の雌ネジ部６０ａに螺入することで、当接部材５０は釣竿取付部２ａの基端部前側に設置される。
【００３９】
上記した構成の魚釣用スピニングリールでは、ロータ３のベール支持部材３ｃを釣糸放出位置に反転したときに連動する作動部材３１の当付部３３が、ハンドル８の巻き取り操作によるロータ回転時において、リール本体側に設けられた当接部材５０の当接部５０ｂ（傾斜面５０ｃ）に当接する。これにより、ベール支持部材３ｃは、自動的に釣糸巻き取り位置に反転復帰される。
【００４０】
そして、当接部材５０は、リールボディ２Ａと、これに被せられる蓋部材２Ｂとで構成される凹所２Ｃ内において、作動部材３１の当付部３３が当接する方向（矢印Ｄ方向）に対して、少なくとも一部が面受けされる支持面をもって挟着された状態となっており、しかもボス部６０によって位置決め保持されることから、十分な支持、固定強度が得られ、安定して支障のないベール支持部材３ｃの反転復帰が行えるようになる。
【００４１】
特に、本実施形態では、当接部材５０は、本体部５０ａの両サイドに形成された支持面５０ｄが、当接方向となる矢印Ｄ方向と直交する方向で、ボディ支持面２ｄ及び蓋支持面２ｅに面接した状態で凹所２Ｃ内に挟着されるため、作動部材３１の当付部３３が繰り返し当接しても、十分な支持、固定強度が得られる。この場合、図５に示すように、当接部５０ｂの両サイドに支持面５０ｄと面一になる規制面５０ｄ´を形成しておき、リールボディ２Ａに形成される段部２Ｆ及び蓋部材２Ｂの内面に面接させることが好ましい。このように構成することで、より十分な支持、固定強度が得られるようになる。
【００４２】
また、上記したように、本実施形態では、当接部材５０を位置決め保持する係止部を、非円形のボス部６０によって構成しているため、位置決め固定状態がより確実となる。特に、ボス部６０にネジ部材６５を螺入する構成であることから、蓋部材２Ｂを装着する際の当接部材５０に対する固定力が向上し、確実な挟持状態となって、より安定したベール支持部材の反転復帰動作が得られるようになる。
【００４３】
以上、本発明の実施形態について説明したが、本発明は、上記した実施形態に限定されることはなく、種々変形することが可能である。
【００４４】
上記した当接部材５０を、凹所２Ｃ内において位置決め保持する係止部については、例えば、図７及び図８のように構成しても良い。図７に示す構成は、リールボディ２Ａの凹所２Ｃのロータ側に凹溝７０を形成し、当接部材５０の本体部５０ａの対向部分に、凹溝７０に嵌り込む凸部７１を形成したものである。また、図８に示す構成は、リールボディ２Ａの凹所２Ｃのボディ支持面２ｄに凹部７２を形成し、当接部材５０の本体部５０ａの対向部分に、凹部７２に嵌り込む凸部７３を形成したものである。もちろん、図７及び図８に示す構成では、上記のような係止部を複数箇所形成しても良いし、凹凸を逆に形成しても良い。
【００４５】
このように、当接部材５０がリール本体２から外れることなく、位置決めされる構成であれば、係止部の構成については、適宜変形することが可能である。また、そのような係止部については、蓋部材２Ｂ側に形成されていても良い。
【００４６】
また、当接部材５０に形成される支持面については、作動部材３１の当付部３３が当接する方向に対して、少なくとも一部が面受けされるように構成されていれば良い。このため、例えば、図８に示す構成において、支持面５０ｄにおいて、多数の凹凸が形成されていても良いし、部分的に空洞部が形成されていたり、凹部が形成されていても良い。また、支持面５０ｄについては、作動部材３１の当付部３３が当接する方向に対して面受けできれば良く、矢印Ｄ方向と直交する方向でなくても良いし、段部によって構成されていても良い。
【００４７】
また、本発明における上記した当接部材５０及び作動部材３１は、ベール支持部材（ベールが装着されていなくても良い）を反転復帰させる反転復帰機構以外にも、ロータの回転を規制する回転規制機構として構成することが可能である。すなわち、上記した当接部５０ｂに傾斜面を形成することなく、垂直面を形成しておくことで、ロータの不用意な回転を規制するようにしても良い。或いは、このような回転規制機構では、当接部５０ｂの傾斜面５０ｃの高さを低くして、作動部材３１の当付部３３が当接して傾斜面を乗り上げても、振分け保持機構４０のデッドポイントを超えないように設定（ベール支持部材３ｃを釣糸放出位置に反転させた状態で、ロータ３が釣糸放出時に釣糸巻き取り方向に不用意に回転してもベール支持部材３ｃが釣糸巻き取り位置に復帰しない状態）しておいても良い。
【図面の簡単な説明】
【００４８】
【図１】本発明に係る魚釣用スピニングリールの一実施形態を示す図であり、主要部の構成を示した部分断面図。
【図２】図１の主要部の拡大図。
【図３】図２のＡ−Ａ線に沿った断面図。
【図４】一方のアーム部の内部構成を示し、作動部材と当接部材の関係を示す図。
【図５】当接部材の装着状態を示す斜視図。
【図６】（ａ）、（ｂ）は、他方のアーム部内に設置され、ベール支持部材を振分け保持する振分け保持機構の構成を示す図。
【図７】本発明の第１の変形例を示す図であり、当接部材の装着状態を示す斜視図。
【図８】本発明の第２の変形例を示す図であり、当接部材の装着状態を示す斜視図。
【符号の説明】
【００４９】
１  魚釣用スピニングリール
２  リール本体
２Ａ  リールボディ
２Ｂ  蓋部材
２Ｃ  凹所
３  ロータ
３ｃ  ベール支持部材（支持部材）
３ｅ  ラインローラ
３１  作動部材
５０  当接部材
５０ａ  本体部
５０ｂ  当接部
５０ｄ  支持面
６０  ボス部（係止部）
【図１】
2009100708.tif 000003
【図２】
2009100708.tif 000004
【図３】
2009100708.tif 000005
【図４】
2009100708.tif 000006
【図５】
2009100708.tif 000007
【図６】
2009100708.tif 000008
【図７】
2009100708.tif 000009
【図８】
2009100708.tif 000010